(57)【要約】【課題】ベースに嵌合されたソケットを取り外す際に、ハウジング、コンタクト及びソケットに連なるワイヤに負担をかけることなく取り外せるコネクタ構造を提供する。【解決手段】回路基板Ｐ１に実装されたベース３０と、ワイヤＷ１の先端に連なったソケット１０からなるコネクタ構造であって、ソケット１０は、ソケットハウジング１１の側面から水平方向に張出した張出し片１９、１９を具え、ソケット１０がベース３０の凹部３１ａに嵌め込まれた状態でソケット１０を取外す際に、ソケット１０に連なるワイヤＷ１を把持して引抜くのではなく、ソケットハウジング１１に具わる張出し片１９、１９を指先又はピンセットで把持して引抜くことで、ソケット１０をベース３０から取り外す方法を採るコネクタ構造である。【選択図】    図１
2009224086.tif 000002
【特許請求の範囲】
【請求項１】
最初に指示する方向を明確にしておくと、
回路基板の基板面を水平面とし、
該水平面に対する垂直軸の天地方向の天方向を上方とし、地方向を下方とし、
ソケットのワイヤが延出する面を前方とし、
該前方向の反対方向を後方とし、
該前後軸に水平面上で直交する直交軸で前記前方向から時計回りに９０度回転した方向を左方とし、
該直交軸で該左方向の反対方向を右方として、
回路基板に実装されたベースに装着される、
前面から被覆電線を延出するソケットであって、
前記ソケットは前記ソケットの少なくとも左右側面の内一側面の上辺から水平方向に張出した張出し片を具え、
前記張出し片は前記ベースの上面の全部或いは一部を覆い、
前記張出し片の端部は前記ベースの少なくとも左右側面の一側面と同一面近傍に延びて、
前記ソケットと前記ベースとが嵌合した状態で少なくとも左右方向の内一方向から指先又はピンセットで前記端部を把持できるソケット。
【請求項２】
前記張出し片が前記ソケットの左右両側面の後方上辺に具わる請求項１記載のソケット。
【請求項３】
前記張出し片が前記ソケットの左右側面の内一方の側面の上辺に具わる請求項１記載のソケット。
【発明の詳細な説明】
【技術分野】
【０００１】
本発明は、電気コネクタに関する。特に、回路基板に実装されたベースコネクタと、このベースコネクタに挿抜される、電線を装着した、ソケットコネクタに関する。
【背景技術】
【０００２】
電子機器の小型軽量化により、コネクタの小型低背化が進んでいる。このようなコネクタの小型化は、中継タイプコネクタでは装着される電線の細線化を同時に伴う。装着される電線は一般に被覆電線であり、電線芯部のより線を絶縁ビニールで覆う構造をしている。よって、電線の細線化は、このより線の本数の減少化或いはより線の細線化に担うところが大きく、このようなより線の減少や細線化は、総体的な電線強度の低下を招く。
【０００３】
一方、コネクタの低背化が進むことで、回路基板に実装されたベースと、電線を装着したソケットとから成るコネクタ構造において、特許文献１記載のコネクタでは、矩形状のベースの中央部に形成された凹状の嵌合部に、ベースに比べて一回り小さい矩形状のソケットがその厚み全体を嵌め込むことで、コネクタの機械的嵌合と、コンタクトの電気的接続を確保する構造を採っている。
【０００４】
【特許文献１】特開２００６−１２８０３３号公報
【発明の開示】
【発明が解決しようとする課題】
【０００５】
このようなコネクタ構造では、ベースからソケットを引き抜く際に、ソケット本体はベースの凹部に埋もれていて、低背化を目標の一つに掲げていることもあり、ソケットの上面と、ベースの上面とは、同一面上にあり、嵌合部の隙間も極めて小さいものである。そのために、ソケットには指を掛けたり、把持するところが無く、唯一ソケットに連ながったワイヤに手を掛けて引き抜くこととなる。このような引き抜き方法でも、ワイヤに太さがあり、ワイヤ強度が嵌合保持力を十分に上回っている場合にはよいが、コネクタの小型化に伴って、ワイヤが細線化されるようになると、嵌合保持力の下限閾値でコンタクト保持力の設計をしていても、ワイヤの引張破断強度が嵌合保持力を下回る場合が生じてくる。
【０００６】
現行の携帯型電子機器に組み込まれるベース、ソケットからなるコネクタ構造では、低背化は高さ１．２ｍｍまで進み、ソケットに連なるワイヤは、直径０．６５ｍｍが標準である。このとき、必要な嵌合保持力は、５〜６Ｎ（ニュートン）で、直径０．６５ｍｍワイヤの平均引張破断強度は８〜９Ｎ（ニュートン）であり、品質のばらつきや設計上の安全率等を考慮した場合、既に現状で、ワイヤを把持してソケットを引抜く方法の限界近くにあり、更に、今後一層の低背化が進み、ワイヤがより細線化することを考えれば、このような引抜き方法に代わる新たな方法の出現が待たれる。また、このようなワイヤを把持して引抜く方法では、ベースに対してソケットにかかる力は垂直方向に無く、こじる力がかかるものである。このような、こじる力は、合成樹脂性のソケットハウジングと、ベースハウジングとの係り合う部分や、コンタクトの嵌合部分に変形や損傷を来たすおそれを有している。
【０００７】
本発明は、このような問題に鑑みて創出されたものであり、回路基板に装着されたベースと、ワイヤの先端に連なったソケットであって、ソケットがベースの凹部に嵌め込まれた状態でソケットを取外す際に、ソケットに連なるワイヤを把持して引抜くのではなく、ソケットハウジングの側面から水平方向に張出した張出し片を指先又はピンセットで把持して引抜くことで、ソケットをベースから取り外す方法を採るコネクタ構造を提供することを目的とする。
【課題を解決するための手段】
【０００８】
本発明は、前記課題を解決するため、以下の手段を採用した。すなわち、本発明は、（１）最初に指示する方向を明確にしておくと、回路基板の基板面を水平面とし、該水平面に対する垂直軸の天地方向の天方向を上方とし、地方向を下方とし、ソケットの前記ワイヤが延出する面を前方とし、該前方向の反対方向を後方とし、該前後軸に水平面上で直交する直交軸で前記前方向から時計回りに９０度回転した方向を左方とし、該直交軸で該左方向の反対方向を右方として、回路基板に実装されたベースに装着される、前面から被覆電線を延出するソケットであって、前記ソケットは前記ソケットの少なくとも左右側面の内一側面の上辺から水平方向に張出した張出し片を具え、前記張出し片は前記ベースの上面の全部或いは一部を覆い、前記張出し片の端部は前記ベースの少なくとも左右側面の一側面と同一面近傍に延びて、前記ソケットと前記ベースとが嵌合した状態で少なくとも左右方向の内一方向から指先又はピンセットで前記端部を把持できるソケットである。更に、前記張出し片の具わる位置が、（２）前記張出し片が前記ソケットの左右両側面の後方上辺に具わる（１）記載のソケットであり、また、前記張出し片の個数が、（３）前記張出し片が前記ソケットの左右側面の内一方の側面の上辺に具わる（１）記載のソケットある。
【０００９】
（１）の発明では、ソケットはソケット側面の上辺から水平方向に張出した張出し片を具えていて、ソケットがベースに嵌合した状態で、この張出し片がベース側面の近傍に達することで、指先又はピンセットでソケットハウジングと一体となった張出し片を把持して引抜くことで、ソケットをベースから取り外すことができるものである。
【００１０】
ここで、「張出し片はソケットの側面の上辺から水平方向に張出す」とは、張出し片の上面とソケット本体の上面とが同一面上にあってよく、また、両上面に段差があってもよい。両上面が同一面上にある場合或いは、張出し片の上面がソケット本体の上面に比べて低い場合には、コネクタ高さは変わらない。また、張出し片はソケットハウジングと一体で成形してもよく、張出し片を別途成形してその後ソケットハウジングに組み付けてもよい。また、張出し片の形状は矩形状であってよいが、矩形状に限るものではなく、必要な強度と、把持に適した形のもので、ベース形状を考慮した形状を採ることができる。
【００１１】
ここで、「張出し片はベースの上面の全部或いは一部を覆う」とは、張出し片の大きさに関して、張出し片はベース上面のソケットが嵌め込まれた部分以外の部分の全てを覆う大きさであってよいし、また、一部を覆う大きさであってよい。また、「張出し片の端部はベースの側面と同一面近傍に延びて」とは、張出し片の張出した端部は、ベースの側面の手前で終わってもよいし、ベースの側面を越えて張出してもよい。ベースの側面を越える場合は、張出し片の把持が一層容易に行なえる。
【００１２】
（２）の発明では、張出し片がソケットの左右両側面の後方上辺に具わるものである。張出し片が後方に具わるので、後方に位置するコンタクトの嵌合部及びハウジングの係合部に対して効率よく挿抜力を作用させることができる。
【００１３】
（３）の発明では、張出し片がソケットの左右側面の一方の側面にのみ具わるものである。張出し片がソケットの片側にのみ具わるので、ソケットをベースに挿入する際、誤った方向の嵌合を未然に防ぐ機能を有する。
【発明の効果】
【００１４】
ソケットに張出し片を具えることで、コネクタの低背化を妨げることなく、ベースの凹部に嵌合されたソケットを取り外す際、ワイヤ及びハウジング又はコンタクトに損傷を与えることなく、ソケットをベースから引抜くことができる。
【発明を実施するための最良の形態】
【００１５】
以下、図面を参照して本発明を実施するための最良の形態について説明する。
【００１６】
本発明の第１の実施形態によるソケットとベースについて図１から図７を参照して説明する。図１は、本発明の第１の実施形態によるワイヤに連結するソケットと、回路基板に実装されたベースとが嵌合した状態の外観斜視図である。図２は、同じくソケットとベースとを挿抜線上で分離した状態の外観斜視図である。図３は、同じく図２のソケットを反転させた状態の外観斜視図である。図４は、同じく図２のベースを反転させた状態の外観斜視図である。図５の（ａ）は、同じくソケットコンタクトの外観斜視図であり、（ｂ）は、ソケットハウジングにソケットコンタクトを装着した状態の断面図である。図６の（ａ）は、同じくベースコンタクトの外観斜視図であり、（ｂ）は、ベースハウジングにベースコンタクトを装着した状態の断面図である。図７は、ソケットコンタクトとベースコンタクトが嵌合した状態の断面図である。
【００１７】
本発明の第１の実施形態によるコネクタ構造は、ソケット１０とベース３０とから成る。ソケット１０は、絶縁性の樹脂成形品のソケットハウジング１１と、ソケットハウジング１１に固定される、導電性の金属帯状体に曲げ加工を加えて形成されるソケットコンタクト１２とを有する。ベース３０は、絶縁性の樹脂成形品のベースハウジング３１と、ベースハウジング３１に固定される導電性の金属帯状体に打ち抜き加工を加えて形成されるベースコンタクト３２とを有する。ここで、指示する方向を明確にするために、図１、図２で方向の定義付けをしておく、ワイヤＷ１が延出する軸上で手前を前、これに反対する方向を後、この軸に水平面上で交差する軸上で紙面に向かって右手を右、これに反対する方向を左、そしてこれら２軸に直交する軸上で上方及び下方を定義する。
【００１８】
＜ソケット＞
図１から図３を参照してソケットについて説明する。ソケット１０に具わるソケットハウジング１１は、箱体状の樹脂成形品で、前方には、ワイヤＷ１が進入する開口部１５が具わり、開口部１５の奥（後方）には、ワイヤＷ１に連結したソケットコンタクト１０を収容する収容室１６を具える。第１の実施形態では、開口部１５及び収容室１６は、左右方向に２個並置している。また、後方には、収容室１６の後端を塞ぐ後壁１４が具わり、後壁１４には、ベース３０と嵌合する際に、ベース３０の対応する部分と嵌め合う嵌合凸部１４ａ、１４ａ及びここから突起し、ベース３０の対応する部分と係合する係合凸部１４ｂ、１４ｂが具わる（後方ロック機構）。また、ソケットハウジング１１の左右側面には、垂直に立設する側壁１２、１３が具わり、側壁１２，１３には、ベース３０と嵌合する際に、ベース３０との嵌め合い状態を固定するための嵌合凸部１２ａ、１３ａが具わる（側方ロック機構）。更に、下面は平坦な底壁１７で区画され、底壁１７の後方にはベースコンタクト４０が進入するための溝１７ａ、１７ａが形成されている。この溝１７ａ、１７ａは底壁１７から連なり直角に立ち上がる後壁１４に亘って形成されている。
【００１９】
次に、ソケットハウジング１１の上面について説明する。上面は、底壁１７に平行する天壁１８で区画されている。天壁１８には、ソケットコンタクト２０を固定するためのランス孔１８ａ、１８ａが穿設されている。また、天壁１８の後方には、側壁１２、１３の上辺から水平方向に張出した矩形状の張出し片１９、１９を一体的に具える。張出し片１９、１９は、ソケット１０がベース３０の凹部３１ａに嵌合した際、ベース３０の側壁３２、３３及び後壁３４の上面の切り欠きによって形成された窪み３９、３９に収まる。このとき、張出し片１９、１９は、その肉厚が窪み３９、３９の凹部の深さに相当するので、張出し片１９、１９を具えたことによって、ソケット１０とベース３０との嵌合高さを変えることはない。また、張出し片１９、１９の左右方向の張り出しの端部は、側壁３２、３３の側面よりやや突出した所に位置する。よって、張出し片１９、１９の端部は、指先或いはピンセットに掛かり易い状態に位置している。
【００２０】
次に、図５を参照してソケットコンタクト２０について説明する。ソケットコンタクト２０は、金属の帯状体を成形して、一端にワイヤＷ１に接続する接続部２０ａと、この接続部２０ａから一体的に連なり対応するベースコンタクト３０に接触する接触部２０ｄとを具える。接続部２０ａは、ワイヤＷ１の芯線を圧着するワイヤバレル２０ｂと、被覆部を固定するインシュレーションバレル２０ｃとを有する。接触部２０ｄは、幅方向中央部に長手方向に亘る打ち抜き加工により形成された切抜き２０ｅを設け、接触部２０ｄの長手方向の真中当たりで１８０度の曲げ戻しの成形によって曲率部２０ｆを形成することで、先の切抜き２０ｅと、この曲率部２０ｆとから垂直方向に板状のものを懐深く挟持し得るガイド２０ｈを形成している。また、この切抜き２０ｅの切断面からガイド２０ｈを臨む方向に一対の突起２０ｇ、２０ｇを具えている。このようにして形成されたガイド２０ｈは、ベースコンタクト４０をガイドし、一対の突起２０ｇ、２０ｇは、このベースコンタクト４０を挟持することで、ソケットコンタクト２０と、ベースコンタクト４０との間で電気的機械的接続状態を形成する。
【００２１】
＜ベース＞
次に、図１、図２及び図４を参照してベースについて説明する。ベース３０は、絶縁性の合成樹脂から成るベースハウジング３１と、ベースハウジング３１に固定される金属の帯状体からなるベースコンタクト４０とを具える。
【００２２】
ベースハウジング３１は底面に底壁３７を具え、この底壁３７の左右側面に側壁３２，３３と、後面に後壁３４とを立設し、更に前面には、左右側壁３２，３３間に亘る開口部３５を形成している。底壁３７と、左右側壁３２、３３及び後壁３４とで窪み形状の凹部３１ａを形成している。このようにして形成された凹部３１ａは、ソケット１０を嵌め込むための窪みである。また、側壁３２、３３には、ソケットハウジング１１の側壁１２、１３に具わる嵌合凸部１２ａ、１３ａに係合する嵌合凸部３２ａ、３３ａが具わり、前方端には、回路基板Ｐ１との接続を補強する補強タブ３６Ｂ、３６Ｂを圧入するための圧入孔３６Ａ、３６Ａを具える。更に、後壁３４には、ソケットハウジング１１に具わる嵌合凸部１４ａ、１４ａ及び係合凸部１４ｂ、１４ｂに係合する嵌合凹部３４ａ、３４ａ及び係合凸部３４ｂ、３４ｂを具え、更に、平板状のベースコンタクト４０を圧入によって固定するための貫通孔３６、３６を具える。ベースハウジング３１は、張出し片１９、１９に重なる部分は切欠かれていて凹状の窪み３９、３９を形成している。
【００２３】
次に、図６を参照してベースコンタクト４０について説明する。ベースコンタクト４０は、金属の帯状体を切抜いて形成された略Ｌ字状の金属片である。本実施形態では、基材に銅合金を使用し、ニッケルめっき下地に、表面を金めっきで保護した構成である。ベースコンタクト４０は、略Ｌ字状の短片側は回路基板Ｐ１と、はんだによる接続をし、略Ｌ字状の長辺側はソケットコンタクト２０の接触部２０ｄの切抜き２０ｅと、屈曲部２０ｆとで形成されたガイド２０ｈに嵌合し、切抜き２０ｅの切断面に具わる突起２０ｇ、２０ｇに挟持されることで、ベースコンタクト４０と、ソケットコンタクト２０との間で、電気的機械的接続状態が形成される。
【００２４】
＜嵌合＞
次に、図１、図２及び図７を参照してソケット１０と、ベース３０との嵌合について説明する。ソケット１０は、ベース３０の中央部に形成された窪み凹部３１ａに全体が嵌まり込む。この嵌合の際、ソケットハウジング１１の側壁１２、１３に形成された突起状の嵌合凸部１２ａ、１３ａと、ベースハウジング３１の側壁３２、３３に形成された窪み状の嵌合凹部３２ａ、３３ａとが対応し、挿入時、当接しながら突起を乗り越え嵌合状態に至る（側方ロック機構）。また、ソケットハウジング１１の後壁１４に形成された嵌合凸部１４ａ、１４ａにある突起状の係合凸部１４ｂ、１４ｂと、ベースハウジング３１の後壁３４に形成された嵌合凹部３４ａ、３４ａにある突起状の係合凸部３４ｂ、３４ｂとが対応し、挿入時、互いに反力を受けながら突起を乗り越え嵌合状態に至る（後方ロック機構）。更に、挿入段階で、ソケット１０に固定されているソケットコンタクト２０の接触部２０ｄに形成された切溝状のガイド２０ｈと、ベース３０に固定されているベースコンタクト４０の切刃状の接触部４０ｂとが対応し、接触部４０ｂがガイド２０ｈに嵌り込む。このとき、切欠き２０ｅの切断面から延出する一対の突起２０ｇ、２０ｇは、切刃状の接触部４０ｂの腹部を表裏から挟持する。このベースコンタクト４０の接触部４０ｂをソケットコンタクト２０の接触部２０ｂが挟持する状態によってソケットコンタクト２０及びベースコンタクト４０間に信頼性の高い電気的接続状態が生じることとなる。
【００２５】
ここで、嵌合状態のソケット１０及びベース３０間の嵌合保持力について説明する。上述したようにソケット１０及びベース３０は、嵌合した状態で側壁１２、１３及び３２、３３に具わる側方ロック機構と、後壁１４及び３４に具わる後方ロック機構、及びソケットコンタクト２０及びベースコンタクト４０間に作用する挟持力との総和による嵌合保持力を得ている。ソケット１０及びベース３０間の嵌合保持力は、電子機器の振動や予期せぬ落下等の衝撃による電気回路の瞬断（瞬間的な断絶）や断絶から電子機器を守るためにも少なくとも本実施形態では、５〜６Ｎ（ニュートン）の力を確保するように、それぞれのロック強度や挟持強度を調節している。
【００２６】
一方、電子機器の低背化によってコネクタの低背化も進み、本実施の形態では、ソケット１０と、ベース３０との嵌合コネクタ高さは１．２ｍｍであり、装着されるワイヤ径は０．６５ｍｍである。このようなワイヤの細線化によってワイヤ強度（引張破断強度）は低下し、０．６５ｍｍ径では通常８Ｎ（ニュートン）前後である。この数値を通常の品質のばらつきや、設計上の安全率を考慮してみると、嵌合保持力に対してワイヤ強度はもはや限界に近い段階にきており、従来品のようにワイヤを把持してベース３０からソケット１０を抜き離すことは困難に成ってきている。
【００２７】
次に、ソケットハウジング１１に具わる張出し片１９、１９について説明する。張出し片１９、１９は、ソケットハウジング１１の上面でワイヤＷ１が進入する反対側の両隅部に一対具わり、ソケットハウジング１１の表面と面を一にする。その面の広がりは、ベースハウジング３１の側面及び後面から張出した位置に及ぶ。ベースハウジング３１は、張出し片１９、１９に重なる部分は切欠かれていて窪み３９、３９を形成している。
【００２８】
このようにして具わる張出し片１９、１９は、コネクタの低背化を妨げることなく、又コネクタの投影面積の小型化を妨げることなく、ソケット１０の把持部としての機能を有するものであり、把持の方法も、空間的余裕のない細かなポイントを定めて把持点とするものではなく、比較的空間的余裕のあるソケット１０と、ベース３０との嵌合状態のコネクタの周囲から凡その目安をつけて微調整をしつつ把持先を狭めていくことで、張出し片１９、１９の端部に接触することができるものであり、この接触状態から把持し、続いて上方に引抜き力を加えることで、ワイヤＷ１に負荷を加えることなくソケット１０をベース３０からスムーズに取外すことができるようになる。
【００２９】
また、張出し片１９、１９は、ソケットハウジング１１の側壁１２、１３の上辺後方よりから張出すので、張出し片１９、１９を把持して引抜き力を加えた際に、その力が後方に位置する後方ロック機構及び側面の後方よりに位置する側方ロック機構に効率よく伝わり、更に後方位置で嵌合するソケットコンタクト２０とベースコンタクト４０の嵌合部にも差し込み方向に対してほぼ同一線方向に力がかかるので、両コンタクト２０及び４０に無理な力を加えることなく、嵌合状態を解くことができるものである。
【００３０】
更に、ソケット１０と、ベース３０とが嵌合した際、張出し片１９、１９は、ベース３０の側壁３２、３３及び後壁３４とが交差する隅部を切欠いた窪み３９、３９に収まるので、誤ってワイヤＷ１にワイヤＷ１が進入する方向と逆方向に力が掛かった場合、張出し片１９、１９の前面部１９ｃが窪み３９、３９を形成する側壁３２、３３の縦壁に衝突しソケット１０がベース３０から誤って抜けるのを防ぐことができる。
【００３１】
次に、図８、図９を参照して第２の実施形態について、及び図１０、図１１を参照して第３の実施形態について説明する。構成要素で第１の実施形態と共通するものは、第１の実施形態で用いた記号と同じ記号を使用し、作用、機能が対応するものは、第２実施形態の場合には、第１の実施形態で用いた記号に先頭に１を加えた記号を新たに使用し、第３の実施形態の場合には、第１の実施形態で用いた記号に先頭に２を加えた記号を新たに使用する。
【００３２】
第２の実施形態によるソケット１１０のソケットハウジング１１１に具わる張出し片１１９、１１９は、ベース３０の両側面に具わる側壁３２、３３の上面を全面覆うように張出し、補強タグ３６Ｂを固定する貫通孔３６Ａを中心にしたその周囲に重なる部分を逃がすようにして矩形状の窓１１９ｄ、１１９ｄが設けられている。また、張出し片１１９、１１９は、その先端部がベース３０の側壁３２、３３を越えて張出している。
【００３３】
この第２の実施形態による張出し片１１９、１１９によれば、張出し片１１９、１１９に重なるベース３０に具わる側壁３２、３３の上面は、張出し片１１９、１１９の厚み相当分の厚みが切欠かれていて、張出し片１１９、１１９を具えたことによるコネクタの高さに増加は生じない。また、張出し片１１９、１１９は、平面上の広がりが大きく、前後方向に亘る長さも長いので、指先やピンセットでの把持が容易であって、ワイヤＷ１を把持することなく、ソケット１１０をベース３０から容易に引抜くことができる。
【００３４】
次に、図１０、図１１を参照して第３の実施形態について説明する。第３の実施形態によるソケット２１０のソケットハウジング２１１に具わる張出し片２１９は、第２の実施形態では、両側に具わっていた張出し片１１９、１１９の片側の張出し片１１９が無い状態で、片側に具わる張出しのみから成る。張出し片２１９がソケットハウジング２１１の片側面にのみ具わるので、嵌合方向の方向性が明確になり、嵌合の際、ベース３０に対してソケット２１０の挿入方向を天地逆転にした場合、挿入初期段階にその誤りに気づき、無理な誤挿入によるコネクタの変形、破損を未然に回避することができる。
【００３５】
なお、本発明は上記実施形態に限定されるものではなく、その他この発明の要旨を逸脱しない範囲で種々の態様で実施可能である。
【図面の簡単な説明】
【００３６】
【図１】本発明の第１の実施形態によるワイヤに連結するソケットと、回路基板に実装されたベースとが嵌合した状態の外観斜視図である。
【図２】同じくソケットとベースとを挿抜線上で分離した状態の外観斜視図である。
【図３】図２のソケットを反転させた状態のソケットの外観斜視図である。
【図４】図２のベースを反転させた状態のベースの外観斜視図である。
【図５】（ａ）は本発明の第１実施形態によるソケットコンタクトの外観斜視図である。（ｂ）はソケットハウジングにソケットコンタクトを装着した状態の断面図である。
【図６】（ａ）は同じくベースコンタクトの外観斜視図である。（ｂ）はベースハウジングにベースコンタクトを装着した状態の断面図である。
【図７】同じくソケットコンタクトとベースコンタクトとが嵌合した状態のコネクタの断面図である。
【図８】本発明の第２の実施形態によるワイヤに連結するソケットと、回路基板に実装されたベースとが嵌合した状態の外観斜視図である。
【図９】同じくソケットとベースとを挿抜線上で分離した状態の外観斜視図である。
【図１０】本発明の第３の実施形態によるワイヤに連結するソケットと、回路基板に実装されたベースとが嵌合した状態の外観斜視図である。
【図１１】同じくソケットとベースとを挿抜線上で分離した状態の外観斜視図である。
【符号の説明】
【００３７】
１０、１１０、２１０    ソケット
１１、１１１、２１１    ソケットハウジング
１２、１３  側壁
１４    後壁
１５    開口部
１６    収容室
１７    底壁
１８    天壁
１９、１１９、２１９    張出し片
２０    ソケットコンタクト
３０    ベース
３１    ベースハウジング
３２、３３  側壁
３４    後壁
３５    開口部
３６    圧入孔
３７    底壁
３８    天壁
３９    窪み
４０    ベースコンタクト
Ｐ１    回路基板
Ｗ１    ワイヤ
【図１】
2009224086.tif 000003
【図２】
2009224086.tif 000004
【図３】
2009224086.tif 000005
【図４】
2009224086.tif 000006
【図５】
2009224086.tif 000007
【図６】
2009224086.tif 000008
【図７】
2009224086.tif 000009
【図８】
2009224086.tif 000010
【図９】
2009224086.tif 000011
【図１０】
2009224086.tif 000012
【図１１】
2009224086.tif 000013
【手続補正書】
【提出日】平成20年4月25日(2008.4.25)
【手続補正１】
【補正対象書類名】明細書
【補正対象項目名】０００６
【補正方法】変更
【補正の内容】
【０００６】
現行の携帯型電子機器に組み込まれるベース、ソケットからなるコネクタ構造では、低背化は高さ１．２ｍｍまで進み、ソケットに連なるワイヤは、直径０．６５ｍｍが標準である。このとき、必要な嵌合保持力は、５〜６Ｎ（ニュートン）で、直径０．６５ｍｍワイヤの平均引張破断強度は８〜９Ｎ（ニュートン）であり、品質のばらつきや設計上の安全率等を考慮した場合、既に現状で、ワイヤを把持してソケットを引抜く方法の限界近くにあり、更に、今後一層の低背化が進み、ワイヤがより細線化することを考えれば、このような引抜き方法に代わる新たな方法の出現が待たれる。また、このようなワイヤを把持して引抜く方法では、ベースに対してソケットにかかる力は垂直方向に無く、接触面にこじる力がかかるものである。このような、こじる力は、合成樹脂性のソケットハウジングと、ベースハウジングとの係り合う部分や、コンタクトの嵌合部分に変形や損傷を来たすおそれを有している。
【手続補正２】
【補正対象書類名】明細書
【補正対象項目名】００２６
【補正方法】変更
【補正の内容】
【００２６】
一方、電子機器の低背化によってコネクタの低背化も進み、本実施の形態では、ソケット１０と、ベース３０との嵌合コネクタ高さは１．２ｍｍであり、装着されるワイヤ径は０．６５ｍｍである。このようなワイヤの細線化によってワイヤ強度（引張破断強度）は低下し、０．６５ｍｍ径では通常８Ｎ（ニュートン）前後である。この数値を通常生じる品質のばらつきや、設計上の安全率を外挿し考慮してみると、嵌合保持力に対してワイヤ強度はもはや限界に近い段階にきており、従来品のようにワイヤを把持してベース３０からソケット１０を抜き離す方法をとることは困難に成ってきている。
【手続補正３】
【補正対象書類名】明細書
【補正対象項目名】００２８
【補正方法】変更
【補正の内容】
【００２８】
このようにして具わる張出し片１９、１９は、コネクタの低背化を妨げることなく、又コネクタの投影面積の小型化を妨げることなく、ソケット１０の把持部としての機能を有するものであり、把持の方法も、空間的余裕のない範囲で細かなポイントを定めて把持点とするものではなく、ソケット１０と、ベース３０とが嵌合した状態で比較的空間的余裕のあるコネクタの周囲から凡その目安をつけて微調整をしつつ把持先を狭めていくことで、張出し片１９、１９の端部に接触することができるものであり、この接触状態から把持し、続いて上方に引抜き力を加えることで、ワイヤＷ１に負荷を加えることなくソケット１０をベース３０からスムーズに取外すことができるようになる。
【手続補正４】
【補正対象書類名】明細書
【補正対象項目名】００２９
【補正方法】変更
【補正の内容】
【００２９】
また、張出し片１９、１９は、ソケットハウジング１１の側壁１２、１３の上辺後方よりから張出すので、張出し片１９、１９を把持して引抜き力を加えた際に、その力が後方に位置する後方ロック機構及び側面の後方よりに位置する側方ロック機構に効率よく伝わり、更に後方位置で嵌合するソケットコンタクト２０とベースコンタクト４０の嵌合部にも差し込み方向に対してほぼ同一線上に力がかかるので、両コンタクト２０及び４０に無理な力を加えることなく、嵌合状態を解くことができるものである。